(57)【要約】      （修正有）【課題】大理石の質感を持ち、且つ配送が容易な家具の提供。【解決手段】天板１２、２２に大理石柄のメラミン樹脂からなる化粧板を用いた。よって、天板に大理石を用いた従来のテーブルと比較して天板１２、２２を大幅に軽量化することが可能であり、配送が容易である。また、天板１２、２２の木口面にも大理石柄の化粧板を設けた。【選択図】図１
0003221778.tif 000002
【実用新案登録請求の範囲】
【請求項１】
天板と脚とを有する第１テーブル及び第２テーブルからなり、
第２テーブルの天板の上面の高さは第１テーブルの天板の下面の高さよりも低く、
第２テーブルの幅は第１テーブルの脚の内側の間隔よりも狭いことを特徴とする家具。
【請求項２】
天板は大理石柄の化粧板からなることを特徴とする請求項１に記載の家具。
【請求項３】
天板の木口面に大理石柄の化粧板を設けたことを特徴とする請求項２に記載の家具。
【請求項４】
天板と脚とは分解可能であることを特徴とする請求項１乃至３に記載の家具。
【請求項５】
脚は矩形の枠体からなることを特徴とする請求項１乃至４のいずれかに記載の家具。
【考案の詳細な説明】
【技術分野】
【０００１】
本考案は、天板と脚とを有する家具に関する。
【背景技術】
【０００２】
特許文献１には、天板と脚とを有する脚部付き家具（以下「従来のテーブル」という。）が開示されている。従来のテーブルは、天板用小片として大理石を用いることにより、一枚板の大理石を天板として用いる場合と比較して大理石の板厚を小さくすることが可能である。これにより、小片保持用上板の重量を考慮しても、全体として天板を軽量化することができる。
【先行技術文献】
【特許文献】
【０００３】
【特許文献１】特開平１１−４７１９号公報
【考案の概要】
【考案が解決しようとする課題】
【０００４】
従来のテーブルは、天板用小片に大理石を用いると共に小片保持用上板に金属を用いているので、天板用小片の大理石の板厚を小さくしたとしても、化粧板を用いた場合と比較して天板が重くなり、配送費が増大する。また、板厚が小さい大理石は、破損し易いことから、通信販売での取り扱いが困難である。さらに、隣接する天板用小片間に隙間を生じるため、文字を書くときの台として用いるのに不向きである。
そこで、本考案は、大理石の質感を持ち、且つ配送が容易な家具を提供することを課題とする。
【課題を解決するための手段】
【０００５】
本考案に係る家具は、天板と脚とを有する第１テーブル及び第２テーブルからなり、第２テーブルの天板の上面の高さは第１テーブルの天板の下面の高さよりも低く、第２テーブルの幅は第１テーブルの脚の内側の間隔よりも狭いことを特徴とする。
【考案の効果】
【０００６】
本考案によれば、大理石の質感を持ち、且つ配送が容易な家具を提供することができる。
【図面の簡単な説明】
【０００７】
【図１】本実施形態に係るネストテーブルの斜視図である。
【図２】本実施形態に係る第１テーブルの分解斜視図である。
【図３】本実施形態に係る第２テーブルの分解斜視図である。
【考案を実施するための形態】
【０００８】
本考案の一実施形態を添付した図を参照して説明する。
図１に示されるように、本実施形態に係る家具は、第１テーブル１１に第２テーブル２１を入れ子状に収容可能なネストテーブル１である。便宜上、図１におけるＨ方向を高さ方向、図１におけるＷ方向を幅方向、及び図１におけるＤ方向を奥行方向と称する。
【０００９】
図２を参照すると、第１テーブル１１は、天板１２と脚１３とを有する。脚１３は、幅方向に間隔をあけて設けられる一対の枠体１４，１５を有する。枠体１４，１５は、スチール製の角パイプを矩形に組んで接合することで構成される。枠体１４の手前側上端部と枠体１５の手前側上端部との間には梁１６が架設される。また、枠体１４の奥側上端部と枠体１５の奥側上端部との間には梁１８が架設される。さらに、枠体１４の奥側下端部と枠体１５の奥側下端部との間には梁１９が架設される。
【００１０】
梁１６，１８，１９は、スチール製の角パイプによって構成される。枠体１４，１５及び梁１６，１８，１９を構成する角パイプの断面の一辺の長さは、天板１２の厚さＴ１以下である。枠体１４，１５及び梁１６，１８，１９を構成する角パイプの表面には、パウダーコーティングが施されている。なお、梁１６，１８，１９の両端部と枠体１４，１５とは、パウダーコーティングと同一色（本実施形態では「ブラック」。）のボルト（図示省略）によって固定される。また、脚１３の下面の四隅には、フェルト３（図１参照）が取り付けられる。
【００１１】
天板１２は、幅と奥行きとが同一の正方形に形成される。天板１２は、メラミン樹脂からなる化粧板によって構成される。天板１２は、化粧層とコア層とを有する。天板１２の化粧層は、大理石柄が印刷された化粧紙（例えば「チタン紙」。）にメラミン樹脂を含浸させることで形成される。天板１２は、当該天板１２の上面を形成する化粧層と下面を形成する化粧面との間にコア層を積層し、一定の圧力下で加熱することで一枚の化粧板に成形される。天板１２の木口面（幅方向両側端面及び奥行方向両側端面）には、天板１２の上面及び下面を形成する化粧層の柄に応じた大理石柄の化粧層が設けられる。
【００１２】
天板１２は、複数個（本実施形態では「８個」。）のボルト２０によって脚１３に固定される。第１テーブル１１の天板１２は、脚１３に対して四方へ突出されている。換言すると、天板１２の幅及び奥行は、脚１３の幅及び奥行よりも大きい。
【００１３】
図３を参照すると、第２テーブル２１は、天板２２と脚２３とを有する。脚２３は、幅方向に間隔をあけて設けられる一対の枠体２４，２５を有する。枠体２４，２５は、スチール製の角パイプを矩形に組んで接合することで構成される。枠体２４の手前側上端部と枠体２５の手前側上端部との間には梁２６が架設され、枠体２４の手前側下端部と枠体２５の手前側下端部との間には梁２７が架設される。また、枠体２４の奥側上端部と枠体２５の奥側上端部との間には梁２８が架設され、枠体２４の奥側下端部と枠体２５の奥側下端部との間には梁２９が架設される。
【００１４】
梁２６乃至２９は、スチール製の角パイプによって構成される。第２テーブル２１の枠体２４，２５及び梁２６乃至２９を構成する角パイプの断面の一辺の長さは、天板２２の厚さＴ２（Ｔ１＝Ｔ２）以下であり、第１テーブル１１の枠体１４，１５及び梁１６，１８，１９を構成する角パイプの断面の一辺の長さと同一である。枠体２４，２５及び梁２６乃至２９を構成する角パイプの表面には、パウダーコーティングが施されている。なお、梁２６乃至２９の両端部と枠体２４，２５とは、パウダーコーティングと同一色（本実施形態では「ブラック」。）のボルト（図示省略）によって固定される。また、脚２３の下面の四隅には、フェルト３（図１参照）が取り付けられる。
【００１５】
天板２２は、幅と奥行きとが同一の正方形に形成される。天板２２は、メラミン樹脂からなる化粧板によって構成される。天板２２は、化粧層とコア層とを有する。天板２２の化粧層は、大理石柄が印刷された化粧紙（例えば「チタン紙」。）にメラミン樹脂を含浸させることで形成される。天板２２は、当該天板２２の上面を形成する化粧層と下面を形成する化粧面との間にコア層を積層し、一定の圧力下で加熱することで一枚の化粧板に成形される。天板２２の木口面（幅方向両側端面及び奥行方向両側端面）には、天板２２の上面及び下面を形成する化粧層の柄に応じた大理石柄の化粧層が設けられる。
【００１６】
天板２２は、複数個（本実施形態では「８個」。）のボルト３０によって脚２３に固定される。第２テーブル２１の天板２２は、脚２３に対して四方へ突出されている。換言すると、天板２２の幅及び奥行は、脚２３の幅及び奥行よりも大きい。また、第２テーブル２１の天板２２の一辺の長さＬ２（図３参照）は、第１テーブル１１の脚１３の枠体１４，１５間の間隔Ｌ１（図２参照）よりも短い。さらに、第２テーブル２１の天板２２の上面の高さＨ２（図１参照）は、第１テーブル１１の天板１２の下面の高さよりも低く、且つ第１テーブル１１の脚１３の梁１６の下面の高さＨ１（図２参照）よりも低い。
【００１７】
次に、本実施形態の作用効果を説明する。
本実施形態によれば、第２テーブル２１の天板２２の上面の高さＨ２は第１テーブル１１の天板１２の下面の高さＨ１よりも低く、且つ第２テーブル２１の天板２２の幅Ｌ２は第１テーブル１１の脚１３の内側の間隔Ｌ１よりも狭いので、第２テーブル２１を第１テーブル１１に入れ子状に収容してネストテーブル１を構成することができる。
【００１８】
第１テーブル１１の枠体１４の手前側下端部と枠体１５の手前側下端部との間に梁を設けていないので、第２テーブル２１を第１テーブル１１に対して容易に出し入れすることができる。
天板１２，２２を正方形に形成し、脚１３，２３を構成する角パイプを天板１２，２２の厚さＴ１，Ｔ２よりも細くしたので、圧迫感がなく、デザイン性の高いネストテーブル１を提供することができる。
脚１３，２３を構成する角パイプにパウダーコーティングを施し、さらに脚１３，２３を組み立てるときに用いるボルトをパウダーコーティングと同一色にしたので、デザイン性を向上させることができる。また、パウダーコーティングにより、紫外線による色褪せ及び錆の発生を防止することができる。
脚１３，２３の下面の四隅にフェルトを取り付けたので、床面が傷付くことを防止することができる。
【００１９】
天板１２，２２に大理石柄のメラミン樹脂からなる化粧板を用いたので、高級感を演出することができる。また、天板１２，２２の木口面も化粧層（表層）に応じた大理石柄とし、天板１２，２２の木口面を脚１３，２３の側面に対して突出させたので、大理石（柄）が持つ質感をより高めることができる。
天板１２，２２にメラミン樹脂製の化粧板を用いたことで、天板に大理石を用いた従来のテーブルと比較して天板１２，２２を大幅に軽量化することが可能である。メラミン樹脂製の化粧板は、大理石と比較して衝撃に対する破損に強いため、配送での取り扱いが容易であり、通信販売に対応することができる。また、天板１２，２２と脚１３，２３とを分解し、さらに、脚１３及び脚２３を枠体１４，１５及び枠体２４，２５に分解することで、配送時における梱包サイズを小さくすることが可能であり、その結果、配送費の高騰を防ぐことができる。また、脚１３及び脚２３を矩形の枠体１４，１５及び枠体２４，２５としたので、第１テーブル１１及び第２テーブル２１の剛性を高めることができる。
【符号の説明】
【００２０】
１  ネストテーブル（家具）、１１  第１テーブル、１２  天板、１３  脚、２１  第２テーブル、２２  天板
【図１】
0003221778.tif 000003
【図２】
0003221778.tif 000004
【図３】
0003221778.tif 000005
【手続補正書】
【提出日】平成31年4月15日(2019.4.15)
【手続補正１】
【補正対象書類名】実用新案登録請求の範囲
【補正対象項目名】全文
【補正方法】変更
【補正の内容】
【実用新案登録請求の範囲】
【請求項１】
天板と脚とを有する第１テーブル及び第２テーブルからなり、
第２テーブルの天板の上面の高さは第１テーブルの天板の下面の高さよりも低く、
第２テーブルの幅は第１テーブルの脚の内側の間隔よりも狭いことを特徴とする家具。
【請求項２】
天板は大理石柄の化粧板からなることを特徴とする請求項１に記載の家具。
【請求項３】
天板の木口面に大理石柄の化粧板を設けたことを特徴とする請求項２に記載の家具。
【請求項４】
天板と脚とは分解可能であることを特徴とする請求項１乃至３のいずれか一項に記載の家具。
【請求項５】
脚は矩形の枠体からなることを特徴とする請求項１乃至４のいずれか一項に記載の家具。